(57)【要約】【課題】処理対象人員が５〜５０人の合併処理浄化槽では、嫌気処理と好気処理を組み合わせた処理方式が採用されており、好気処理された処理水の一部を嫌気処理に移送する循環機能や、さらに好気処理の濾床で捕捉した浮遊物質（ＳＳ）や汚濁物質を分解することで生じた余剰汚泥を洗浄排水として嫌気処理に移送する洗浄機能が搭載されていた。また、循環水と洗浄排水の移送には、安価で、構造が簡単で、故障の少ないエアリフトポンプが採用されることが多かった。しかしながら、循環水と洗浄排水は、移送水量が異なるために、それぞれを別々のエアリフトポンプで移送するケースがあり、コストが掛かること、保守点検時の作業が煩雑になることが課題として挙げられていた。【解決手段】本発明は、循環水と洗浄排水を同じエアリフトポンプで移送することが可能であり、コストの低減、保守点検作業の軽減を図ることができる。【選択図】図２
2014161764.tif 000002
【特許請求の範囲】
【請求項１】
前段処理槽とその後段に配される好気処理槽とを有する汚水浄化槽であって、
前記好気処理槽の濾床をばっ気により洗浄するばっ気洗浄装置と、
前記好気処理槽内又はその後段に配され、前記好気処理槽で処理された処理水の一部を循環水として前段処理槽に移送し、前記ばっ気洗浄装置による洗浄により発生する洗浄排水を前段処理槽に移送するエアリフトポンプと、を有し、
前記エアリフトポンプが、前記循環水及び洗浄排水の移送経路となる揚水管と、
前記揚水管に接続され前記循環水を揚水するために必要な空気を供給する第１空気配管と、
前記揚水管に接続され前記洗浄排水を揚水するために必要な空気を供給する第２空気配管と、を備えていることを特徴とする汚水浄化槽。
【請求項２】
前記第１空気配管の経路中に供給する空気量を調整するためのオリフィス又は空気調整バルブが設けられていることを特徴とする請求項１に記載の汚水浄化槽。
【請求項３】
前記第２空気配管の経路中に供給する空気量を調整するためのオリフィス又は空気調整バルブが設けられていることを特徴とする請求項１又は２に記載の汚水浄化槽。
【請求項４】
前記第２空気配管の開口部が、前記第１空気配管の開口部より深い位置に形成されていることを特徴とする請求項１から３の何れか一項に記載の汚水浄化槽。
【請求項５】
前記第２空気配管の管径が、前記第１空気配管の管径より大きく形成されていることを特徴とする請求項１から４の何れか一項に記載の汚水浄化槽。
【請求項６】
前記前段処理槽が、嫌気処理槽であることを特徴とする請求項１から５の何れか一項に記載の汚水浄化槽。
【請求項７】
前段処理槽とその後段に配される好気処理槽とを有する汚水浄化槽の運転方法であって、
前記汚水浄化槽が、
前記好気処理槽の濾床をばっ気により洗浄するばっ気洗浄装置と、
前記好気処理槽内又はその後段に配され、前記好気処理槽で処理された処理水の一部を循環水として前段処理槽に移送し、前記ばっ気洗浄装置による洗浄により発生する洗浄排水を前段処理槽に移送するエアリフトポンプと、を有し、
前記エアリフトポンプが、前記循環水及び洗浄排水の移送経路となる揚水管と、
前記揚水管に接続される第１空気配管及び第２空気配管を備えており、
第１空気配管に空気を供給することによって前記循環水を揚水し、
前記ばっ気洗浄装置に空気を供給するとともに第２空気配管に空気を供給することによって前記洗浄排水を揚水することを特徴とする汚水浄化槽の運転方法。
【発明の詳細な説明】
【技術分野】
【０００１】
本発明は、一般家庭等から排出される生活排水を処理する汚水浄化槽及びその運転方法に関する。
【背景技術】
【０００２】
処理対象人員が５〜５０人に該当する小規模合併処理浄化槽では、嫌気処理と好気処理を組み合わせた処理方式が多く見られるようになった（例えば特許文献１）。嫌気処理と好気処理を組み合わせた汚水浄化槽は、上流側から順に嫌気処理槽（嫌気濾床槽、沈殿分離槽、固液分離槽等）、好気処理槽（接触ばっ気槽、担体流動槽、生物濾過槽等）が配列された構造を有する。
【０００３】
このような、小規模合併処理浄化槽は、好気処理槽で処理した処理水の一部を循環水として嫌気処理槽に移送する構成を有する。
循環水を嫌気処理槽に移送することにより、汚水の流入のない時間帯でも嫌気処理槽で処理された処理水が順次、好気処理槽に移流して好気処理槽で処理を受けることができる。したがって、循環水の移送がない場合よりも効率的な処理が可能となる。さらに、循環水として移送される処理水には好気処理槽で硝化された亜硝酸性窒素及び硝酸性窒素が含まれており、この処理水が移送されると、嫌気処理槽では脱窒反応が生じるため、処理水中から窒素が除去される。
これらの利点から、嫌気処理と好気処理を組み合わせた処理方式において、好気処理槽の処理水の一部を循環水として嫌気処理槽に移送する機能が採用されている。
【０００４】
ところで、生物学的処理では、嫌気処理、好気処理にかかわらず、汚水中に含まれる有機物等の汚濁物質が生物体に転換されることによって浄化が進行する。そのため、定期的に増加した生物体、すなわち、余剰汚泥を処理槽外に引き抜く必要が生じる。
特に、微生物の増殖速度の速い好気処理槽では、嫌気処理槽に比べて生物体への転換量が多くなる。処理対象人員が５〜５０人に該当する小規模合併処理浄化槽では、好気処理槽の濾材に付着した生物膜が肥厚化するので、定期的に生物膜を剥離させる洗浄が必要になる。また、近年では、好気処理槽として生物濾過槽を採用するケースが増加しつつある。生物濾過槽においては、槽内の濾床に充填されている担体（濾材）が、処理水中の浮遊物質（ＳＳ）を捕捉するため、目詰まり防止を目的として濾床を定期的に洗浄することが必要になる。濾床の洗浄は、ばっ気を行うことにより付着した生物膜又は浮遊物質を剥離させて行うことができる。
【０００５】
嫌気処理と好気処理を組み合わせた汚水浄化槽では、剥離させた生物膜又は浮遊物質は、洗浄排水として汚泥貯留部となる嫌気処理槽に移送して貯留させている。嫌気処理槽では生物体の増殖速度が遅いため、前記洗浄排水を含む汚泥は、ゆっくりと消化されながら貯留することになる。そして、嫌気処理槽で貯留された汚泥は、最終的に嫌気処理槽の汚泥が貯留限界を迎えた時点、あるいは、浄化槽法に定められた清掃頻度（一年に一回）を迎えた時点で、引き抜かれる。
このように、嫌気処理と好気処理を組み合わせた処理方式を有する汚水浄化槽では、好気処理槽で肥厚化した生物膜や濾床で捕捉した浮遊物質を洗浄排水として嫌気処理槽へ移送する機能が採用されている。
【０００６】
以上に述べたように、処理対象人員が５〜５０人に該当する小規模合併処理浄化槽では、好気処理槽から嫌気処理槽へ循環水と洗浄排水の移送がなされている。移送の手段としては、実用的な観点から、故障が少なく、構造が簡単で、維持管理が容易で、コストが安価であるエアリフトポンプが採用されている。
【先行技術文献】
【特許文献】
【０００７】
【特許文献１】特開平９−２４８５８４号公報
【発明の概要】
【発明が解決しようとする課題】
【０００８】
循環水量は、少な過ぎると、処理効率が落ち、処理水質を低下させることになるが、逆に多過ぎても、移送先となる嫌気処理槽で貯留している汚泥を巻き上げて、下流側の好気処理槽に汚泥を流出させ、処理水質を低下させることになる。そのため、循環水量は、適正量に設定することが重要であり、流入水量（日平均汚水量）に対して３〜４倍が適正量とされている。５人槽で換算すると、循環水量の適正量は、１日当たりで３，０００Ｌ〜４，０００Ｌとなり、保守点検作業で実用的に管理される単位として１分間当たりに換算して、２．１〜２．８Ｌ／分に相当する。
【０００９】
洗浄排水も、循環水量と同様に適正量が存在する。濾床の洗浄は、濾床をばっ気等により、肥厚化した生物膜や濾床に捕捉した浮遊物質を槽内に拡散させる行為であり、処理性能への影響を極めて少なく抑えるために、流入汚水がほとんどない深夜等の時間帯に短時間で実施するように設定されている。洗浄排水の移送水量としては、採用した好気処理槽の種類や容量、濾材充填量、洗浄速度（好気処理槽の断面積当たりの洗浄排水量）等によって異なるが、５人槽規模では、数１０Ｌ／分になる。
【００１０】
このように、循環水と洗浄排水の適正な移送水量はそれぞれ異なることから、循環水と洗浄排水を移送するエアリフトポンプは、従来別々に設置されていた。その結果構造が複雑となり、コスト高を招き、さらに保守点検時の手間が増加するという課題があった。
【００１１】
本発明は、上記の課題を鑑みてなされたものであり、ひとつのエアリフトポンプで移送水量の異なる循環水と洗浄排水を移送するエアリフトポンプを備えた汚水浄化槽の提供を目的とする。
【課題を解決するための手段】
【００１２】
本発明は、以下のものに関する。
（１）前段処理槽とその後段に配される好気処理槽とを有する汚水浄化槽であって、前記好気処理槽の濾床をばっ気により洗浄するばっ気洗浄装置と、前記好気処理槽内又はその後段に配され、前記好気処理槽で処理された処理水の一部を循環水として前段処理槽に移送し、前記ばっ気洗浄装置による洗浄により発生する洗浄排水を前段処理槽に移送するエアリフトポンプと、を有し、前記エアリフトポンプが、前記循環水及び洗浄排水の移送経路となる揚水管と、前記揚水管に接続され前記循環水を揚水するために必要な空気を供給する第１空気配管と、前記揚水管に接続され前記洗浄排水を揚水するために必要な空気を供給する第２空気配管と、を備えていることを特徴とする汚水浄化槽。
（２）前記第１空気配管の経路中に供給する空気量を調整するためのオリフィス又は空気調整バルブが設けられていることを特徴とする項（１）に記載の汚水浄化槽。
（３）前記第２空気配管の経路中に供給する空気量を調整するためのオリフィス又は空気調整バルブが設けられていることを特徴とする項（１）又は（２）に記載の汚水浄化槽。
（４）前記第２空気配管の開口部が、前記第１空気配管の開口部より深い位置に形成されていることを特徴とする項（１）から（３）の何れか一項に記載の汚水浄化槽。
（５）前記第２空気配管の管径が、前記第１空気配管の管径より大きく形成されていることを特徴とする項（１）から（４）の何れか一項に記載の汚水浄化槽。
（６）前記前段処理槽が、嫌気処理槽であることを特徴とする項（１）から（５）の何れか一項に記載の汚水浄化槽。
（７）前段処理槽とその後段に配される好気処理槽とを有する汚水浄化槽の運転方法であって、前記汚水浄化槽が、前記好気処理槽の濾床をばっ気により洗浄するばっ気洗浄装置と、前記好気処理槽内又はその後段に配され、前記好気処理槽で処理された処理水の一部を循環水として前段処理槽に移送し、前記ばっ気洗浄装置による洗浄により発生する洗浄排水を前段処理槽に移送するエアリフトポンプと、を有し、前記エアリフトポンプが、前記循環水及び洗浄排水の移送経路となる揚水管と、前記揚水管に接続される第１空気配管及び第２空気配管を備えており、第１空気配管に空気を供給することによって前記循環水を揚水し、前記ばっ気洗浄装置に空気を供給するとともに第２空気配管に空気を供給することによって前記洗浄排水を揚水することを特徴とする汚水浄化槽の運転方法。
【発明の効果】
【００１３】
本発明の汚水浄化槽は、好気処理槽内又はその後段から前段処理槽に循環水及び洗浄排水を移送するエアリフトポンプを有しており、当該エアリフトポンプには、揚水管と、揚水管に接続される２系統の空気配管（第１空気配管及び第２空気配管）が接続されている。
したがって、これらの２系統の空気配管に循環水を移送するための空気、又は洗浄排水を移送するための空気をそれぞれ供給することによって、循環水又は洗浄排水として適正な水量の移送水を前段処理槽に移送することができる。即ち、１つのエアリフトポンプで循環水と洗浄排水を移送することができるため、構造が単純となり、コストが低減され、保守点検作業を軽減することができる。
また、循環水よりも移送水量の多い洗浄排水が定期的にエアリフトポンプ内に通水されるので、揚水管の内部において生物膜の肥厚化を抑制することができ、循環水の移送水量を安定化することができる。
【図面の簡単な説明】
【００１４】
【図１】本発明の汚水浄化槽の第１実施例の概略図であり、図１（ａ）は上面図であり、図１（ｂ）は横断面図であり、図１（ｃ）は縦断面図である。
【図２】本発明の汚水浄化槽に採用されるエアリフトポンプを示す図であり、図２（ａ）〜図２（ｅ）は、それぞれ第１〜第５実施例のエアリフトポンプを示す概略図である。
【図３】本発明の汚水浄化槽における第１実施例のエアリフトポンプに採用される空気供給部を示す模式図であり、図３（ａ）は、空気供給部の概略を示し、図３（ｂ）は、空気供給量調整機構の概略を示す。
【図４】図３に示す空気供給部の変形例を示す模式図である。
【発明を実施するための形態】
【００１５】
本発明で述べる前段処理槽は、嫌気処理槽が好適に用いられる。嫌気処理槽は、固液分離機能、汚泥貯留機能を有している槽であれば、特に制限されるものではなく、具体的には、沈殿分離槽、嫌気濾床槽等を用いることができる。
【００１６】
嫌気処理槽の内部に濾床を有する場合には、濾床には、板状、網様板状、網様円筒状を規則充填した濾材等、捕捉性の弱い濾材を好適に充填させることができる。捕捉性が弱い濾材は、濾床上部に汚泥が溜まりにくく、汚泥がスカム化して次槽に流出することを防止できる。そして、濾材の設置位置（上面位置）は、濾床上部に汚泥が溜まりにくいことから、固液分離槽の上方の水面に近い位置とすることもできる。
【００１７】
また、嫌気処理槽の内部に濾床を有さない場合には、処理水から固形物又は汚泥の沈降・浮上による分離がなされるように、水面積負荷を考慮して固液分離槽の断面積を確保し、垂直方向でみて中間部に流入管と流出管を配置することが好ましい。
また、嫌気処理槽は、２室に区分することが可能であり、沈殿分離槽と嫌気濾床槽を組み合わせて用いることもできる。近年では、特許第４７０２７４８号公報にみられるように、沈殿分離槽にばっ気型の汚泥貯留部を組み込んだものも考案されているが、本発明においても、ばっ気型の汚泥貯留部を嫌気処理槽に組み合わせることも可能である。
【００１８】
本発明で述べる好気処理槽は濾床を備え、当該濾床には処理水の処理に寄与する微生物を生息させる濾材（担体を含む）が充填されている。その濾材に溶存酸素を供給できれば、特に制限されるものではなく、具体的には、接触ばっ気槽、生物濾過槽等を用いることができる。
また、好気処理槽は、２室に区分することが可能であり、接触ばっ気槽と生物濾過槽を組み合わせて用いることもできる。
【００１９】
本発明の循環水と洗浄排水を移送するエアリフトポンプは、揚水管と、揚水管に接続される２系統の空気配管（第１空気配管及び第２空気配管）と、当該２系統の空気配管に空気を供給する空気供給装置とから構成される。２系統の空気配管のうち、第１空気配管は循環水を移送するための空気が供給され、第２空気配管は洗浄排水を移送するための空気が供給される。この様な構成を有することで、１つのエアリフトポンプで循環水と洗浄排水を移送することが可能となる。また、循環水よりも移送水量の多い洗浄排水が定期的にエアリフトポンプ内に通水されるので、揚水管の内部において生物膜の肥厚化を抑制することができ、循環水の移送水量を安定化することができる。
【００２０】
揚水管とそれぞれの空気配管の接続方法は、揚水管の外側に接続する方法と、揚水管の内側に二重になるように接続する方法があるが、特に制限されるものではなく、図２（ａ）〜（ｅ）に例示するように、それぞれの方法を組み合わせて使用することができる（詳しくは実施例において後述する）。また、空気配管の浸漬深さ（水面から空気配管の開口までの距離）、揚水管の管径、空気配管の管径は、循環水、又は、洗浄排水の移送量に応じて適宜選択することができ、さらに、それぞれの空気配管に対して、それぞれの移送水量に応じた空気量を送気することにより、所定の循環水及び洗浄排水の移送水量を得ることが可能になる。
【００２１】
それぞれの空気配管には、空気量を調整するために、オリフィスや空気調整バルブを設けることで各空気配管に供給する空気量を直接調整することができるようになるため好ましい。特に循環水を移送するための空気を供給する第１空気配管に、オリフィスや空気調整バルブを設けることで、適量の循環水を移送することができるようになる。
なお、特開平１１−６７６号公報には、揚水管に２つの空気配管が接続されている循環エアリフトポンプが開示されている。この循環エアリフトポンプは、循環水量を少量に調整するために吸込み口に絞り部が設けられており、当該絞り部を設けたことによって揚水が通過する通路が狭くなるため、汚泥や生物膜による閉塞を防ぐ目的で２つ目の空気配管から供給される空気によって間欠的に洗浄するという構成を有している。
本発明において第１空気配管にオリフィスや空気調整バルブを設ける場合においては、適量の空気を送気することで適量の循環水を移送することが可能となるため、吸込み口に絞り部を設ける必要がない。
前記の従来技術は、吸込み口に絞り部を設けたことによる課題を解決するためのものであり、本発明とは前提とする技術が異なる。本発明の汚水浄化槽は、２種類（循環水と洗浄排水）で、かつ、水量の異なる排水を１つのエアリフトポンプで移送することを目的としており、前記の従来技術とは全く目的・効果の異なるものと言える。
【００２２】
本発明のエアリフトポンプの吸込み口は、好気処理槽で処理された処理水の一部を循環水として前段処理槽へ移送することでき、さらに、好気処理槽の濾床の洗浄排水を前段処理槽へ移送することができれば、特に制限されるものではなく、直接好気処理槽に接続しても、好気処理槽の後段処理に設けられる処理水槽や沈殿槽に接続しても良い。ただし、処理水槽や沈殿槽に接続する場合には、好気処理槽から遠くなると、洗浄排水の移送が非効率になることから、好気処理槽の移流口に近づけることが好ましい。
【実施例】
【００２３】
以下、本発明による一実施例を図面によって説明する。図１（ａ）〜（ｃ）は、本発明の第１実施例に係る汚水浄化槽１の概略断面図を示したものである。
図１（ａ）〜（ｃ）に示す汚水浄化槽１は、周壁１Ａと底壁１Ｂと天井壁１Ｃにより構成された槽構造の内部に、上流側から順に嫌気処理槽（前段処理槽）３０と好気処理槽３１と処理水槽６、消毒槽７を配置している。
汚水浄化槽１においてその入口側の一端に流入口２４が出口側の一端に流出口２３が形成され、流入口２４側から流出口２３側にかけて順次間隔をあけて仕切壁１Ｄ、１Ｅが形成されている。また、仕切壁１Ｅによって、嫌気処理槽３０側と好気処理槽３１、処理水槽６、消毒槽７側とが区分されている。
【００２４】
嫌気処理槽３０としては嫌気濾床槽が採用され、当該嫌気処理槽３０は、仕切壁１Ｄによって上流側から嫌気濾床槽第１室２と嫌気濾床槽第２室３に区分されている。
さらに、図１（ａ）に示すように、仕切壁１Ｅの下流側には、並列するように仕切壁１Ｆ、１Ｇが形成されており、仕切壁１Ｆ、１Ｇによって仕切られた領域は、仕切壁１Ｆ、１Ｇと直交するように仕切壁１Ｈが設けられている。仕切壁１Ｆ、１Ｇ、１Ｈによって、前記仕切壁１Ｅの下流側は、４つの槽に区分されており、上流側から２槽が、好気処理槽３１となっている。好気処理槽３１として好気濾床槽が採用され、上流側から接触ばっ気部４と生物濾過部５に区分されている。また、前記好気処理槽の後段には、処理水槽６、消毒槽７が配置されている。
【００２５】
嫌気濾床槽第１室２は、隔壁８Ｂによって濾床８と移流部２５に区分されている。濾床８の上下には、濾材として充填された網様円筒状濾材を通すことは無いが、処理水を通す濾材流出抑止板８Ａ、８Ａが設けられている。
同様に、嫌気濾床槽第２室３は、隔壁９Ｂによって、濾床９と移流部２６に区分され、濾床９の上下には、濾材として充填された骨格球状濾材を通すことは無いが、処理水を通す濾材流出抑止板９Ａ、９Ａが設けられている。
これらの濾床８、９を処理水が通過することにより、処理水（汚水）中に含まれる固形物を捕捉し、さらに網様円筒状濾材及び骨格球状濾材に付着した微生物により、汚水中に含まれる有機物と捕捉した固形物の分解を行う。
嫌気濾床槽第１室２において、濾床８の上方には、生物反応により生じたガスと一緒に浮上した汚泥をスカムとして貯留するスカム貯留部２ａが設けられ、下方には、消化して細かくなり沈降した汚泥を堆積汚泥として貯留する汚泥貯留部２ｂが設けられている。
同様に、嫌気濾床槽第２室３において濾床９の上方には、生物反応により生じたガスと一緒に浮上した汚泥をスカムとして貯留するスカム貯留部３ａが設けられ、下方には、消化して細かくなり沈降した汚泥を堆積汚泥として貯留する汚泥貯留部３ｂが設けられている。
【００２６】
図１（ａ）、（ｂ）に示すように、嫌気濾床槽第２室３の移流部２６に流量調整装置１０が設けてある。本実施例の流量調整装置１０は、エアリフトポンプと流量調整マス（分配マス）を組み合わせたものを採用することができる。
また、浴槽排水等のように短時間で多くの水量が流入する場合に貯留しておくスペースとして、嫌気処理槽３０（嫌気濾床槽第１室２及び嫌気濾床槽第２室３）の上部に流量調整部１１を設けている。
嫌気処理槽３０にて嫌気処理された汚水は、流量調整装置１０により好気処理槽３１の接触ばっ気部４移送される。この流量調整装置１０により汚水の移送量を調節することにより、嫌気処理槽３０の内部に収容される汚水量を図１（ｂ）に示すＬ．Ｗ．Ｌ（低水位）からＨ．Ｗ．Ｌ（高水位）の間に調整しながら汚水処理を行うことができる。即ち、流量調整部１１に一時的に処理水を貯留することが可能となり、流入水の水量負荷を緩和することができる（流量調整機能、あるいは、ピークカット機能）。
なお、本実施例の汚水浄化槽１は流量調整機能を有するが、本発明の汚水浄化槽は流量調整装置を有していなくとても良い。
【００２７】
好気処理槽（好気濾床槽）３１は、接触ばっ気部４と生物濾過部５とから構成されている。図１（ｃ）に示すように、接触ばっ気部４と生物濾過部５を区分する仕切壁１Ｆの上部と下部にそれぞれ移流口１２、１３が設けられており、当該移流口１２、１３によって、接触ばっ気部４と生物濾過部５との間で処理水が循環している。
好気処理槽３１の接触ばっ気部４には濾床２７が設けられ濾材としてヘチマ様板状濾材が充填されている。接触ばっ気部４の底部には、散気管１４が設置されており、通常処理時には接触ばっ気部４はばっ気状態にある。
【００２８】
また、好気処理槽３１の生物濾過部５には濾床１６が設けられ濾材として粒状担体が充填されている。通常の運転を継続すると濾床１６の粒状担体が、捕捉した浮遊物質や成長した生物膜により目詰まりを起こすので、濾床１６の定期的な洗浄が必要になる。生物濾過部５の底部には、散気管（ばっ気洗浄装置）１５が設置されており、当該散気管１５から空気を供給することにより（逆洗）、捕捉した浮遊物質並びに生物膜が粒状担体から剥離されて流動するようになる。
また、後段の処理水槽６と好気処理槽３１の接触ばっ気部４とを隔てる仕切壁１Ｇの下部には、移流口１７が設けられている。
【００２９】
処理水槽６は、好気処理槽３１の生物濾過部５からの流出水（処理水）を貯留し、後段の消毒槽７に至るまでの導水路になっている。また、消毒槽７は、処理水槽６から移流してくる処理水を薬剤筒に内装した塩素系固形消毒材に接触させ、消毒槽７内で反応させた後に、流出口２３から汚水浄化槽１外に流出するようになっている。
処理水槽６には、貯留された処理水を嫌気処理槽３０の嫌気濾床槽第１室２に移送するためのエアリフトポンプ１８Ａが設置してある。このエアリフトポンプ１８Ａは、処理水槽６から嫌気濾床槽第１室２に循環水及び洗浄排水を移送するために備えられている。
【００３０】
処理水槽６に貯留された処理水を循環水として嫌気処理槽３０に移送することにより、汚水の流入のない時間帯でも嫌気処理槽３０から好気処理槽３１への処理水の移流を促し、効率よく汚水の処理ができる。また、循環水として移送される処理水には好気処理槽３１で硝化された亜硝酸性窒素及び硝酸性窒素が含まれているため嫌気処理槽３０で脱窒反応が起こり処理水中から窒素を除去することができる。
【００３１】
好気処理槽３１の生物濾過部５においては、浮遊物質や生物膜によって詰まりを起こすことを防ぐため、ばっ気による濾床１６の定期的な洗浄が必要となる。洗浄によって濾床１６から剥離した浮遊物質や生物膜は、洗浄排水として前記エアリフトポンプ１８Ａによって嫌気処理槽３０に移送する。
【００３２】
図２（ａ）に本発明の第１実施例の汚水浄化槽１に備わるエアリフトポンプ１８Ａの概略図を示す。
エアリフトポンプ１８Ａは、循環水及び洗浄排水の移送経路となる揚水管２１と、当該揚水管２１に各々接続された第１空気配管２０Ａ及び第２空気配管２２Ａと、前記第１空気配管２０Ａ及び第２空気配管２２Ａに空気を供給する空気供給装置４０（図３（ａ）参照）から主に構成される。
【００３３】
揚水管２１は、上下方向に延在する鉛直揚水部２１ａと、当該鉛直揚水部２１ａの上部２１ｂ付近に接続される水平導入部２１ｃとから構成される。
図１（ａ）〜（ｃ）に示すように、鉛直揚水部２１ａの下端部には吸込み口１９が備えられており、処理水槽６の循環水又は洗浄排水は、吸込み口１９から吸い込まれ、仕切壁１Ｅ、１Ｇに沿って鉛直に延びる鉛直揚水部２１ａを通り揚水される。揚水された循環水又は洗浄排水は、仕切壁１Ｅ、１Ａを跨いで形成される水平導入部２１ｃを通り、嫌気処理槽３０の嫌気濾床槽第１室２の濾床８に移送される。
エアリフトポンプ１８Ａの吸込み口１９は、処理水槽６において好気処理槽３１の生物濾過部５と連結する移流口１７付近に配置される。吸込み口１９は、洗浄排水に含まれる浮遊物質をより確実に吸い込み嫌気処理槽３０に移送するために、移流口１７になるべく近い位置とすることが望ましい。
【００３４】
図２（ａ）に示すように、本実施例におけるエアリフトポンプ１８Ａは、鉛直揚水部２１ａの上部２１ｂから第１空気配管２０Ａが接続されている。この第１空気配管２０Ａは、揚水管２１の鉛直揚水部２１ａに内装されるように下方に延び、揚水管２１の吸込み口１９より上方かつ水面より下方に開口部２０ａを構成している。また、エアリフトポンプ１８Ａの第２空気配管２２Ａは、揚水管２１の鉛直揚水部２１ａの側部であって前記第１空気配管２０Ａの開口部２０ａの下方であり、揚水管２１の吸込み口１９より上方の領域に開口部２２ａを形成して接続されている。
【００３５】
前記第１空気配管２０Ａには、循環水を揚水するために必要な空気が供給される。また、第２空気配管２２Ａには、洗浄排水を揚水するために必要な空気が供給される。
第１空気配管２０Ａ又は第２空気配管２２Ａから空気が供給されると、この空気は揚水管２１の鉛直揚水部２１ａ内部で気泡となり上昇する。このとき、気泡より上に位置する循環水又は洗浄排水は空気に押し上げられ鉛直揚水部２１ａの内部を気泡とともに上昇し、水平導入部２１ｃとの接続部に到達する。さらに水平導入部２１ｃを空気とともに進み、嫌気処理槽３０の嫌気濾床槽第１室２の濾床８の上方で排出される。
また、気泡が揚水管２１の鉛直揚水部２１ａを上昇するとともに、吸込み口１９下からは新たな処理水（循環水又は洗浄排水）が呼び込まれる。
【００３６】
通常の運転、即ち処理水槽６に貯留された処理水の一部を循環水として定期的に循環させる運転状態では、第１空気配管２０Ａに空気を供給し第２空気配管２２Ａには空気を供給せずにエアリフトポンプ１８Ａを運転させる。これにより、エアリフトポンプ１８Ａには循環水が流れ、当該循環水は嫌気処理槽３０の嫌気濾床槽第１室２に移送される。
【００３７】
好気処理槽３１の生物濾過部５の濾床１６を洗浄する場合は、生物濾過部５の底部に設置された、散気管（ばっ気洗浄装置）１５によってばっ気を行い、濾床１６に付着した浮遊物質や生物膜を剥離させ（図１（ｃ）参照）、同時に第１空気配管２０Ａには空気を供給せずに第２空気配管２２Ａに空気を供給し、エアリフトポンプ１８Ａを運転させる。ばっ気によって剥離した浮遊物質や生物膜は、処理水の一部とともに洗浄排水としてエアリフトポンプ１８Ａの吸込み口１９から吸い込まれ嫌気処理槽３０の嫌気濾床槽第１室２の濾床８に移送される。
【００３８】
ところで、循環水と洗浄排水とでは単位時間当たりの最適な移送水量が異なる。一例として５人槽で換算すると、循環水は２．１〜２．８Ｌ／分とすることが適正であり、洗浄排水は、数１０Ｌ／分が適正であるとされる。
第１空気配管２０Ａと第２空気配管２２Ａは、エアリフトポンプの設計理論に基づき、上述した移送水量となるように、水面から第１及び第２空気配管２０Ａ、２２Ａの開口部２０ａ、２２ａまでの距離である浸漬深さｈ１、ｈ２、第１及び第２空気配管２０Ａ、２２Ａの管径ｄ１、ｄ２、揚水管２１の鉛直揚水部２１ａの管径Ｄ等のパラメータを適宜設定する。
【００３９】
次に、図３を基に、空気供給装置４０から第１空気配管２０Ａ及び第２空気配管２２Ａへ空気を供給する空気供給部５０に関して説明する。
図３（ａ）に示すように、第１及び第２空気配管２０Ａ、２２Ａは、空気供給装置４０と接続されている。また、第１及び第２空気配管２０Ａ、２２Ａの途中には空気供給量調整機構４１、４２がそれぞれ備えられている。
本実施例において、第１空気配管２０Ａに備えられた空気供給量調整機構４１は、図３（ｂ）に示すように、オリフィス４１ａと空気調整バルブ４１ｂから構成されており、オリフィス４１ａによって空気の供給量を大きく調整し、さらに微調整を空気調整バルブ４１ｂによって行う構成を有する。
また、第２空気配管２２Ａに備えられた空気供給量調整機構４２も、同様にオリフィス４２ａと空気調整バルブ４２ｂから構成されている。
【００４０】
上述したように、循環水の単位時間当たりの揚水量に対して洗浄排水の単位時間当たりの揚水量は多くなる（５人槽で換算すると循環水は２．１〜２．８Ｌ／分、洗浄排水は数１０Ｌ／分が適正）。循環水を揚水するために第１空気配管２０Ａを経路として揚水管２１に供給される単位時間当たりの空気量に対して、洗浄排水を揚水するために第２空気配管２２Ａを経路として揚水管２１に供給される単位時間当たりの空気量を多くすることによって、循環水と洗浄排水との単位時間当たりの揚水量を変化させることができる。
したがって、第１空気配管２０Ａに備えられる空気供給量調整機構４１（即ち、オリフィス４１ａ及び空気調整バルブ４１ｂ）に対して、第２空気配管２２Ａに備えられる空気供給量調整機構４２（即ちオリフィス４２ａ及び空気調整バルブ４２ｂ）は、空気をより多く流す構造となっている。具体的には、空気供給量調整機構４２のオリフィス４２ａが、空気供給量調整機構４１のオリフィス４１ａに対して孔径が大きく形成され、空気がより多く流れるようになっている。
【００４１】
なお、第１及び第２空気配管２０Ａ、２２Ａに備えられる空気供給量調整機構４１、４２は、揚水管２１に供給する空気量を各々適正に制御することができれば、オリフィス又は空気調整バルブの何れか一つであっても良い。
また、空気供給装置４０の出力が、洗浄排水の揚水するための供給量と一致している場合は、第２空気配管２２Ａには、空気供給量調整機構４２を設けず、第１空気配管２０Ａにのみ空気供給量調整機構４１を設けても良い。
【００４２】
空気供給装置４０としては、ダイアフラム型のブロワを好適に使用することができる。
空気供給装置４０には、第１及び第２空気配管２０Ａ、２２Ａがそれぞれ接続されている。空気供給装置４０には切替弁４０ａが備えられており、空気の供給先を第１空気配管２０Ａと第２空気配管２２Ａの何れかに切り替えることができる。切替弁４０ａとしては、電磁弁や電動弁等を採用することができる。
【００４３】
切替弁４０ａは、切替弁制御部４０ｂと接続されている。切替弁制御部４０ｂは、例えばタイマ機能を有しており、一定時間が経過すると切替弁４０ａを機能させ、空気供給装置４０が空気を供給する空気配管を切り替えて、エアリフトポンプ１８Ａの揚水量を変更させることができる。
なお、切替弁制御部４０ｂによる切替弁４０ａの制御は、図１（ｂ）、（ｃ）に示す散気管（ばっ気洗浄装置）１５に空気を送るブロワと同期して行うことが好ましい。即ち、散気管１５に空気を送り濾床１６を洗浄すると同時に、切替弁４０ａを動作させ第２空気配管２２Ａを経路として揚水管２１に空気を供給する。これにより、洗浄によって発生した洗浄排水を即座に移送することが可能となる。また、散気管１５への空気の供給を停止すると同時に、切替弁４０ａを動作させることで、第２空気配管２２Ａを経路とする揚水管２１への空気供給を停止させ、第１空気配管２０Ａを経路とする揚水管２１への空気供給に切り替え通常の運転状態である循環水の移送を開始することができる。
【００４４】
図４に、上述した空気供給部５０の変形例である空気供給部５１を示す。変形例の空気供給部５１は、２つの空気供給装置４３、４４を備えた構成を有している。即ち、第１空気配管２０Ａには、第１空気供給装置４３が接続され、第２空気配管２２Ａには、第２空気供給装置４４が接続されている。また、第１及び第２空気供給装置４３、４４は空気供給装置制御部４５と電気的に接続されている。空気供給装置制御部４５は、例えばタイマ機能を有しており、一定時間が経過すると第１及び第２空気供給装置４３、４４の運転を切り替えて、エアリフトポンプ１８Ａの揚水量を変更させることができる。
しかしながら、変形例の空気供給部５１においては、２台の空気供給装置４３、４４が必要となる。したがって、コスト面を考慮すると一定の空気を供給する１台の空気供給装置４０に第１空気配管２０Ａと第２空気配管２２Ａを接続し、切替弁４０ａによって空気の供給経路を切り替えることができる図３の空気供給部５０を採用することが望ましい。
【００４５】
これによって、空気供給装置４０から第１空気配管２０Ａ又は第２空気配管２２Ａの何れかを経路として開口部２０ａ又は開口部２２ａから循環水及び洗浄排水の移送水量に応じた空気量を送気し、所定の移送水量を得ることができる。また、第１及び第２空気配管２０Ａ、２２Ａの経路途中には、送気する空気量を調整する空気供給量調整機構４１、４２（オリフィス又は空気調整バルブ）を設けることによって、循環水と洗浄排水の揚水量を調整することができる。
【００４６】
図２（ｂ）〜（ｅ）は、本発明における汚水浄化槽１に採用可能な第２〜第５実施例のエアリフトポンプ１８Ｂ、１８Ｃ、１８Ｄ、１８Ｅを示したものである。
図２（ｂ）〜（ｅ）に示す第２〜第５実施例のエアリフトポンプ１８Ｂ、１８Ｃ、１８Ｄ、１８Ｅにおいて、先の第１実施例のエアリフトポンプ１８Ａと同等の構成要素には同一符号を付し、同一要素の説明は省略する。また、これらのエアリフトポンプ１８Ｂ、１８Ｃ、１８Ｄ、１８Ｅにおいて、空気供給装置４０を含む空気供給部は、図３及び図４を基に説明した空気供給部５０、５１を採用することができる。
第２〜第５実施例のエアリフトポンプ１８Ｂ、１８Ｃ、１８Ｄ、１８Ｅは、第１実施例のエアリフトポンプ１８Ａと比較して、第１及び第２空気配管の構成に違いを有する。
【００４７】
図２（ｂ）に示す第２実施例のエアリフトポンプ１８Ｂにおいて、第１及び第２空気配管２０Ｂ、２２Ｂはともに、揚水管２１の鉛直揚水部２１ａの上部２１ｂから接続され、鉛直揚水部２１ａに内装されるように下方に延び、揚水管２１の吸込み口１９より上方かつ水面より下方に開口部２０ａ、２２ａを構成している。第１空気配管２０Ｂの開口部２０ａは第２空気配管２２Ｂの開口部２２ａより上方に形成されている。
【００４８】
図２（ｃ）に示す第３実施例のエアリフトポンプ１８Ｃにおいて、第１及び第２空気配管２０Ｃ、２２Ｃはともに、揚水管２１の鉛直揚水部２１ａの側部であって揚水管２１の吸込み口１９より上方かつ水面より下方に開口部２０ａ、２２ａを形成して接続されている。第１空気配管２０Ｃの開口部２０ａは第２空気配管２２Ｃの開口部２２ａより上方に形成されている。
【００４９】
図２（ｄ）に示す第４実施例のエアリフトポンプ１８Ｄにおいて、第１及び第２空気配管２０Ｄ、２２Ｄは、合流点３３Ｄで合流し合流配管３２Ｄとして揚水管２１に接続している。合流配管３２Ｄは、揚水管２１の鉛直揚水部２１ａの上部２１ｂから接続され、鉛直揚水部２１ａに内装されるように下方に延び、揚水管２１の吸込み口１９より上方かつ水面より下方に開口部３２ａを構成している。
【００５０】
図２（ｅ）に示す第５実施例のエアリフトポンプ１８Ｅにおいて、第１及び第２空気配管２０Ｅ、２２Ｅは、第４実施例のエアリフトポンプ１８Ｄと同様に、合流点３３Ｅで合流し合流配管３２Ｅとして揚水管２１に接続している。合流配管３２Ｅは、揚水管２１の鉛直揚水部２１ａの側部であって揚水管２１の吸込み口１９より上方かつ水面より下方に開口部３２ａを形成して接続されている。
【００５１】
図２（ｂ）、（ｃ）を基に説明した実施例２、３のエアリフトポンプ１８Ｂ、１８Ｃにおいても、第１実施例のエアリフトポンプ１８Ａと同様に、各空気配管の浸漬深さｈ１、ｈ２、各空気配管の管径ｄ１、ｄ２、鉛直揚水部２１ａの管径Ｄ等のパラメータを適宜選択することによって、循環水及び洗浄排水におうじた所定の移送水量を得ることができる。また、第１実施例のエアリフトポンプ１８Ａと同様に、各空気配管の経路途中に送気する空気量を調整するオリフィスや空気調整バルブ（空気供給量調整機構４１、４２）を設けることができる。
【００５２】
図２（ｄ）、（ｅ）を基に説明した実施例４、５のエアリフトポンプ１８Ｄ、１８Ｅにおいては、第１及び第２空気配管２０Ｄ、２２Ｄ（又は２０Ｅ、２０Ｅ）が合流点３３Ｄ（３３Ｅ）で合流し合流配管３２Ｄ（３２Ｅ）として揚水管２１に接続されている。
したがって、実施例４、５のエアリフトポンプ１８Ｄ、１８Ｅは、水面から合流配管３２Ｄ（３２Ｅ）の開口部３２ａまでの距離である浸漬深さｈ３、第１及び第２空気配管２０Ｄ、２２Ｄ（又は２０Ｅ、２０Ｅ）の管径ｄ１、ｄ２、並びに合流配管３２Ｄ（３２Ｅ）の管径ｄ３、揚水管２１の鉛直揚水部２１ａの管径Ｄ等のパラメータ等を適宜選択することによって、上述した循環水と洗浄排水の各移送水量となるように設計することができる。
また実施例１のエアリフトポンプ１８Ａと同様に、送気する空気量を調整するオリフィスや空気調整バルブ（空気供給量調整機構４１、４２）を設けることができ、この場合は、合流点３３Ｄ（３３Ｅ）以前の第１及び第２空気配管２０Ｄ、２２Ｄ（又は２０Ｅ、２０Ｅ）の経路途中に設けることで、合流配管３２Ｄ（３２Ｅ）の開口部３２ａから、循環水及び洗浄排水に応じた空気を供給することができる。
【００５３】
次に処理水（汚水）を処理する工程について説明する。
まず、処理水は、流入口２４を通って、汚水浄化槽１内部の嫌気濾床槽第１室２に流入する。嫌気濾床槽第１室２では、処理水が濾床８を通過する際に、固形物の捕捉と、濾床８に付着している微生物による有機物の分解や亜硝酸性窒素及び硝酸性窒素の脱窒が行われる。嫌気濾床槽第１室２で処理された処理水は、移流部２５に移り、嫌気濾床槽第２室３に移流する。
【００５４】
嫌気濾床槽第２室３では、嫌気濾床槽第１室２と同様に、固形物の捕捉と、濾床９に付着している微生物による有機物の分解や亜硝酸性窒素及び硝酸性窒素の脱窒が行われる。嫌気濾床槽第２室３で処理された処理水は、移流部２６に移り、流量調整装置１０を介して好気処理槽３１に移流する。流量調整装置１０による移送は、水量が制限されており、浴槽排水等のようなピーク流入があった場合には、当該制限により移送できなかった処理水を嫌気濾床槽第１室２と嫌気濾床槽第２室３の濾床８、９上部に設けた流量調整部１１に一時的に貯留する。この貯留された処理水は、ピーク流入が終わった後に、流量調整装置１０により好気処理槽３１へ順次移送される。
【００５５】
好気処理槽３１に移流した処理水は、接触ばっ気部４と生物濾過部５の循環処理を受ける。接触ばっ気部４の濾床２７は、ヘチマ様板状濾材が上下に開口するように充填されており、底部に設置されている散気管１４から供給される空気により接触ばっ気部４内部が上向流となり、濾床２７のヘチマ様板状濾材に付着した微生物と処理水が接触することにより、有機物（ＢＯＤ）の分解、アンモニア性窒素の硝化が進行する。
【００５６】
接触ばっ気部４で処理された処理水は、上部の移流口１２から生物濾過部５に順次移流する。生物濾過部５の濾床１６には、比重が１より若干大きい粒状担体が充填されており、その上下には粒状担体を通さないが、処理水を通す担体流出抑止板２８、２９が配置してある。通常運転では、生物濾過部５の底部に設置した散気管１５からのばっ気は行われないので、粒状担体が下方の担体流出抑止板２９側に沈降した状態で濾床１６が形成されている。処理水は、この濾床１６を下向流で通過し、濾床１６に付着した微生物と接触することにより、有機物（ＢＯＤ）の分解とアンモニア性窒素の硝化が進行する。同時に、処理水に含まれる浮遊物質が濾床１６で捕捉され、処理水の清澄化が図られる。
【００５７】
生物濾過部５で処理された処理水は、下部の移流口１３から接触ばっ気部４に再度移流し、接触ばっ気部４での処理、生物濾過部５での処理を繰り返しに受けることになる。このように好気処理槽３１の循環処理を受けた処理水は、流量調整装置１０からの移送水量に相当する水量（処理水槽６から嫌気濾床槽第１室２への移送される循環水量に相当する水量も含まれる）だけ、生物濾過部５と処理水槽６の仕切壁１Ｇの下部に設けられた移流口１７を介して処理水槽６へ移流する。
【００５８】
処理水槽６に移流した処理水は、処理水槽６で一旦貯留され、最終的には消毒槽７へ移流する。また、貯留されている一部の処理水をエアリフトポンプ１８Ａにより、嫌気濾床槽第１室２に移送する。本実施例では、エアリフトポンプ１８Ａは、図２（ａ）に示されている通り、循環水を揚水するための第１空気配管２０Ａを揚水管２１の鉛直揚水部２１ａに内装するように上部２１ｂから接続し、洗浄排水を揚水するための第２空気配管２２Ａを鉛直揚水部２１ａの側面から接続してあるものを採用している。
通常運転では、第１空気配管２０Ａに空気が供給され、第２空気配管２２Ａには空気が供給されないようになっており、移送先の嫌気濾床槽第１室２には、処理水を循環水として流入水量（日平均汚水量）の約３倍になるように移送している。
消毒槽７に移流した処理水は、薬剤筒に内装した塩素系固形消毒材と接触して消毒されて、流出口２３から汚水浄化槽１外に流出している。
【００５９】
一方、通常の運転を継続すると、生物濾過部５の濾床１６の粒状担体が捕捉した浮遊物質や成長した生物膜により目詰まりを起こすので、定期的な濾床１６の洗浄が必要になる。濾床１６の洗浄は、生物濾過部５の底部に設置した散気管（ばっ気洗浄装置）１５から空気を供給することにより、濾床１６の下方であり担体流出抑止板２９上に沈降していた粒状担体が上下の担体流出抑止板２８、２９の間で流動状態となり、捕捉した浮遊物質並びに生物膜が担体間から剥離されて流動するようになる。この散気管１５への空気供給と同時に、エアリフトポンプ１８Ａに接続されている第２空気配管２２Ａにも空気が供給されることにより、生物濾過部５との移流口１７付近に設置された揚水管２１の吸込み口１９から剥離した浮遊物質を含む洗浄排水を嫌気濾床槽第１室２へ移送している。
【００６０】
＜実施例＞
図２（ａ）を基に第１実施例として説明したエアリフトポンプ１８Ａを用いて本発明の効果を確認した。
本実施例で使用したエアリフトポンプ１８Ａは、揚水管２１として管径Ｄ（内径）３０ｍｍの塩ビパイプ（ＶＰ３０）、第１空気配管２０Ａ及び第２空気配管２２Ａとして管径ｄ１、ｄ２（内径）１３ｍｍの塩ビパイプ（ＶＰ１３）を使用した。これらを組み立て、処理水槽６の水面（汚水浄化槽１の底壁１Ｂから１２４０ｍｍの水位）に対して、揚水管２１の浸漬深さが１１９０ｍｍ、揚程が１６０ｍｍ、第１空気配管２０Ａの浸漬深さｈ１が１１００ｍｍ、第２空気配管２２Ａの浸漬深さｈ２が１１５０ｍｍ（揚水管２１との接続が直角になるので、第２空気配管２２Ａの中心で表示）とした。
また、第１空気配管２０Ａには、空気供給量調整機構４１として直径１．４ｍｍのオリフィス４１ａが設けられている。また、第２空気配管２２Ａには空気供給量調整機構４２として直径２．３ｍｍのオリフィス４２ａが設けられている。
【００６１】
このエアリフトポンプ１８Ａにおいて、空気供給装置４０から第１空気配管２０Ａを経路として揚水管２１に空気を供給することによって、２．４Ｌ／分の循環水を移送することができた。さらに、空気供給装置４０から第２空気配管２２Ａを経路として揚水管２１に空気を供給することによって、１１．５Ｌ／分の洗浄排水を移送することができた。
このように、本発明により１つのエアリフトポンプ１８Ａによって、循環水又は洗浄排水として適正な水量の移送水を移送することができることが確認された。
なお、洗浄排水は、運転時間の経過とともに好気処理槽３１及び処理水槽６の水位が低下し、これに伴い移送水量も低下するため洗浄開始直後の水量で示した。
【００６２】
また、このエアリフトポンプ１８Ａを備えた汚水浄化槽１（５人槽）を戸建住宅（実使用人員５人）に設置し、循環水を常時移送し、また一日あたり３回の洗浄排水の移送を行った結果、浄化槽法で定められた保守点検の間隔である４ヶ月間にわたり、循環水量及び洗浄排水量は、著しく増減することなく、所定の設定範囲内で推移し、安定した移送機能を発揮させることができた。
【符号の説明】
【００６３】
１…汚水浄化槽、１Ａ…周壁、１Ｂ…底壁、１Ｃ…天井壁、１Ｄ、１Ｅ、１Ｆ、１Ｇ、１Ｈ…仕切壁、２…嫌気濾床槽第１室、２ａ、３ａ…スカム貯留部、２ｂ、２ｂ…汚泥貯留部、３…嫌気濾床槽第２室、４…接触ばっ気部、５…生物濾過部、６…処理水槽、７…消毒槽、８、９、１６、２７…濾床、８Ａ、９Ａ…濾材流出抑止板、８Ｂ、９Ｂ…隔壁、１０…流量調整装置、１１…流量調整部、１２、１３、１７…移流口、１４…散気管、１５…散気管（ばっ気洗浄装置）、１８Ａ、１８Ｂ、１８Ｃ、１８Ｄ、１８Ｅ…エアリフトポンプ、１９…吸込み口、２０Ａ、２０Ｂ、２０Ｃ、２０Ｄ、２０Ｅ…第１空気配管、２２Ａ、２２Ｂ、２２Ｃ、２２Ｄ、２２Ｅ…第２空気配管、２０ａ、２２ａ、３２ａ…開口部、２１…揚水管、２１ａ…鉛直揚水部、２１ｂ…上部、２１ｃ…水平導入部、２３…流出口、２４…流入口、２５、２６…移流部、２８、２９…担体流出抑止板、３０…嫌気処理槽、３１…好気処理槽、３２Ｄ、３２Ｅ…合流配管、３３Ｄ、３３Ｅ…合流点、４０…空気供給装置、４０ａ…切替弁、４０ｂ…切替弁制御部、４１、４２…空気供給量調整機構、４１ａ、４２ａ…オリフィス、４１ｂ、４２ｂ…空気調整バルブ、４３…第１空気供給装置、４４…第２空気供給装置、４５…空気供給装置制御部、５０、５１…空気供給部、Ｄ…管径、ｄ１、ｄ２、ｄ３…管径、ｈ１、ｈ２、ｈ３…浸漬深さ
【図１】
2014161764.tif 000003
【図２】
2014161764.tif 000004
【図３】
2014161764.tif 000005
【図４】
2014161764.tif 000006